【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
製品製造時の作業指示書の管理を行うシステムであって、
製品もしくは当該製品と移動を共にする付帯物に備え付けられた無線ＩＣタグの格納情報と、前記製品の情報との対応関係を定めた第１のテーブルと、
前記製品の製造工程上に設置されている無線ＩＣタグリーダと、当該無線ＩＣタグリーダが設置されている製造工程との対応関係を定めた第２のテーブルと、
製品毎の製造工程と当該製造工程毎の作業指示書との対応関係を定めた第３のテーブルと、
前記無線ＩＣタグリーダとデータ通信を行って、当該無線ＩＣタグリーダが読み取った無線ＩＣタグの格納情報と前記無線ＩＣタグリーダ自身の情報とを取得しメモリに格納する、タグ情報取得部と、
前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納する、トラッキング支援部と、
前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納する、指示書フォーム作成支援部と、
前記メモリより前記作業指示書データを読み出して、出力インターフェイスに出力処理する作業指示支援部と、
を備える作業指示管理システム。
【請求項２】
前記第３のテーブルが、製品毎の製造工程と当該製造工程毎の作業指示書と、当該作業指示書の表示色と製品毎ないし製造工程毎の作業時の特記事項との対応関係を定めるものであり、
前記指示書フォーム作成支援部は、前記メモリより製品の情報と製造工程の情報とを読み出して前記第３のテーブルに照合し、該当製品の該当製造工程における作業指示書と特記事項に応じた作業指示書の表示色とを特定し、特定された作業指示書における全部または特記事項用特定領域の背景色または文字色に、前記特記事項に応じた表示色を設定し作業指示書データを作成してメモリに格納するものである、請求項１に記載の作業指示管理システム。
【請求項３】
メモリと、演算装置と、前記作業指示支援部とデータ通信する通信装置と、ディスプレイ装置とを備え、前記製品もしくは当該製品と移動を共にする付帯物に備え付けられる作業指示書媒体である電子ペーパを備え、
前記作業指示支援部は、前記作業指示書データを前記電子ペーパに出力するものであり、  前記電子ペーパは、前記作業指示書データを前記作業指示支援部とデータ通信して受信してメモリに格納するデータ取得部と、前記メモリに格納した作業指示書データをディスプレイ装置に表示する表示処理部を備えるものである、請求項１に記載の作業指示管理システム。
【請求項４】
前記第２のテーブルは、前記製品の製造工程上ならびに製造工程の終了境界に設置されている無線ＩＣタグリーダと、当該無線ＩＣタグリーダが設置されている製造工程ならびに製造工程外領域との対応関係を定めたものであり、
前記第３のテーブルは、製品毎の製造工程と当該製造工程毎の作業指示書との対応関係の他に、製造工程外領域における作業指示書を定めたものであり、
前記トラッキング支援部は、前記無線ＩＣタグリーダの情報を前記第２のテーブルに照合することで、該当無線ＩＣタグが製造工程外領域にあるか判定し、前記製品の情報と、前記製造工程外領域の判定事象データとをメモリに格納するものであり、
前記指示書フォーム作成支援部は、前記メモリより製品の情報と製造工程外領域の判定事象データとを読み出して前記第３のテーブルに照合し、該当製品の製造工程外領域における作業指示書を特定し、特定された製造工程外領域の作業指示書のデータをメモリに格納するものであり、
前記作業指示支援部は、前記メモリより前記製造工程外領域の作業指示書データを読み出して前記電子ペーパに出力処理するものである、請求項３に記載の作業指示管理システム。
【請求項５】
前記製造工程外領域の作業指示書は、作業指示書における表示内容の全部または特定箇所について記載内容をクリアしたデータである、請求項４に記載の作業指示管理システム。
【請求項６】
前記指示書フォーム作成支援部は、前記メモリより製品の情報と製造工程の情報とを読み出して前記第３のテーブルに照合し、該当製品の該当製造工程とその前後いずれかの工程とにおける作業指示書を特定し、特定された該当製造工程とその前後いずれかの工程とに関する作業指示書における背景色または文字色に、前記製品の情報に含まれる製品の色情報を設定し作業指示書データを作成してメモリに格納するものであり、
前記作業指示支援部は、前記メモリより該当製造工程とその前後いずれかの工程とに関する作業指示書データを読み出して電子ペーパに出力処理するものであり、
前記電子ペーパにおいて、
前記データ取得部は、前記作業指示支援部より、前記製造工程とその前後いずれかの工程とに関する作業指示書データを受信し、この複数工程分の作業指示書データをメモリに格納するものであり、
前記表示処理部は、当該電子ペーパが備える入力インターフェイスから表示内容の遷移指示を受けて、当該遷移指示が示す工程の作業指示書データを前記メモリより読み出し、この作業指示書データをディスプレイ装置に表示するものである、請求項３に記載の作業指示管理システム。
【請求項７】
前記電子ペーパにおいて、
前記表示処理部は、前記遷移指示が示す工程の作業指示書データを前記メモリで検索した際に該当工程の作業指示書データが格納されていなかった場合、該当工程に関する作業指示書データの取得要求を、前記データ取得部に通知するものであり、
前記データ取得部は、前記取得要求を前記指示書フォーム作成支援部に送信するものであり、
前記指示書フォーム作成支援部は、前記取得要求を受信し、当該取得要求が含む該当製品の該当製造工程の情報を前記第３のテーブルに照合し、該当製品の該当製造工程の作業指示書を特定し、特定された該当製造工程に関する作業指示書における背景色または文字色に、前記製品の情報に含まれる製品の色情報を設定し作業指示書データを作成してメモリに格納するものである、請求項６に記載の作業指示管理システム。
【請求項８】
製品製造時の作業指示書を管理するコンピュータシステムが、
製品もしくは当該製品と移動を共にする付帯物に備え付けられた無線ＩＣタグの格納情報と、前記製品の情報との対応関係を定めた第１のテーブルと、
前記製品の製造工程上に設置されている無線ＩＣタグリーダと、当該無線ＩＣタグリーダが設置されている製造工程との対応関係を定めた第２のテーブルと、
製品毎の製造工程と当該製造工程毎の作業指示書との対応関係を定めた第３のテーブルとにアクセス可能に接続され、
前記無線ＩＣタグリーダとデータ通信を行って、当該無線ＩＣタグリーダが読み取った無線ＩＣタグの格納情報と前記無線ＩＣタグリーダ自身の情報とを取得しメモリに格納する処理と、
前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納する処理と、
前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納する処理と、
前記メモリより前記作業指示書データを読み出して、出力インターフェイスに出力する処理と、
を実行する作業指示管理方法。
【請求項９】
製品製造時の作業指示書を管理するコンピュータに、
製品もしくは当該製品と移動を共にする付帯物に備え付けられた無線ＩＣタグの格納情報と、前記製品の情報との対応関係を定めた第１のテーブルと、
前記製品の製造工程上に設置されている無線ＩＣタグリーダと、当該無線ＩＣタグリーダが設置されている製造工程との対応関係を定めた第２のテーブルと、
製品毎の製造工程と当該製造工程毎の作業指示書との対応関係を定めた第３のテーブルとをアクセス可能に接続し、
前記無線ＩＣタグリーダとデータ通信を行って、当該無線ＩＣタグリーダが読み取った無線ＩＣタグの格納情報と前記無線ＩＣタグリーダ自身の情報とを取得しメモリに格納するステップと、
前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納するステップと、
前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納するステップと、
前記メモリより前記作業指示書データを読み出して、出力インターフェイスに出力するステップと、
を実行させる作業指示管理プログラム。
【請求項１０】
製品製造時の作業指示書の管理を行う装置であって、
製品もしくは当該製品と移動を共にする付帯物に備え付けられた無線ＩＣタグの格納情報と、前記製品の情報との対応関係を定めた第１のテーブルと、
前記製品の製造工程上に設置されている無線ＩＣタグリーダと、当該無線ＩＣタグリーダが設置されている製造工程との対応関係を定めた第２のテーブルと、
製品毎の製造工程と当該製造工程毎の作業指示書との対応関係を定めた第３のテーブルと、
前記無線ＩＣタグリーダとデータ通信を行って、当該無線ＩＣタグリーダが読み取った無線ＩＣタグの格納情報と前記無線ＩＣタグリーダ自身の情報とを取得しメモリに格納する、タグ情報取得部と、
前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納する、トラッキング支援部と、
前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納する、指示書フォーム作成支援部と、
前記メモリより前記作業指示書データを読み出して、出力インターフェイスに出力処理する作業指示支援部と、
を備える作業指示管理装置。
【請求項１１】
メモリと、演算装置と、前記作業指示支援部とデータ通信する通信装置と、ディスプレイ装置とを備え、製造工程において製品もしくは当該製品と移動を共にする付帯物に備え付けられる作業指示書媒体である電子ペーパであり、
製品製造時の作業指示書の管理を行う作業指示管理装置より、作業指示書のデータをデータ通信して受信してメモリに格納するデータ取得部と、
前記メモリに格納した作業指示書データをディスプレイ装置に表示する表示処理部と、
を備える電子ペーパ。
【手続補正２】
【補正対象書類名】明細書
【補正対象項目名】０００６
【補正方法】変更
【補正の内容】
【０００６】
本発明の作業指示管理システムは、製品製造時の作業指示書の管理を行うシステムであって、製品もしくは当該製品と移動を共にする付帯物に備え付けられた無線ＩＣタグの格納情報と、前記製品の情報との対応関係を定めた第１のテーブルと、前記製品の製造工程上に設置されている無線ＩＣタグリーダと、当該無線ＩＣタグリーダが設置されている製造工程との対応関係を定めた第２のテーブルと、製品毎の製造工程と当該製造工程毎の作業指示書との対応関係を定めた第３のテーブルと、前記無線ＩＣタグリーダとデータ通信を行って、当該無線ＩＣタグリーダが読み取った無線ＩＣタグの格納情報と前記無線ＩＣタグリーダ自身の情報とを取得しメモリに格納する、タグ情報取得部と、前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納する、トラッキング支援部と、前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納する、指示書フォーム作成支援部と、前記メモリより前記作業指示書データを読み出して、出力インターフェイスに出力処理する作業指示支援部と、を備える。これによれば、作業員にとって使用しやすく認識性の良好な作業指示書の作成・管理技術を実現できる。
【手続補正３】
【補正対象書類名】明細書
【補正対象項目名】０００７
【補正方法】変更
【補正の内容】
【０００７】
また本発明の作業指示管理システムにおいて、前記第３のテーブルが、製品毎の製造工程と当該製造工程毎の作業指示書と、当該作業指示書の表示色と製品毎ないし製造工程毎の作業時の特記事項との対応関係を定めるものであり、前記指示書フォーム作成支援部は、前記メモリより製品の情報と製造工程の情報とを読み出して前記第３のテーブルに照合し、該当製品の該当製造工程における作業指示書と特記事項に応じた作業指示書の表示色とを特定し、特定された作業指示書における全部または特記事項用特定領域の背景色または文字色に、前記特記事項に応じた表示色を設定し作業指示書データを作成してメモリに格納するものである、としてもよい。これによれば、製品顧客の属性や、製造の緊急性、特殊な作業内容といった各種特記事項に応じて作業指示書の表示形態を変化、強調させることができ、作業員への特記事項の周知徹底をはかれる。
【手続補正４】
【補正対象書類名】明細書
【補正対象項目名】０００９
【補正方法】変更
【補正の内容】
【０００９】
また、本発明の作業指示管理システムにおいて、前記第２のテーブルは、前記製品の製造工程上ならびに製造工程の終了境界に設置されている無線ＩＣタグリーダと、当該無線ＩＣタグリーダが設置されている製造工程ならびに製造工程外領域との対応関係を定めたものであり、前記第３のテーブルは、製品毎の製造工程と当該製造工程毎の作業指示書との対応関係の他に、製造工程外領域における作業指示書を定めたものであり、前記トラッキング支援部は、前記無線ＩＣタグリーダの情報を前記第２のテーブルに照合することで、該当無線ＩＣタグが製造工程外領域にあるか判定し、前記製品の情報と、前記製造工程外領域の判定事象データとをメモリに格納するものであり、前記指示書フォーム作成支援部は、前記メモリより製品の情報と製造工程外領域の判定事象データとを読み出して前記第３のテーブルに照合し、該当製品の製造工程外領域における作業指示書を特定し、特定された製造工程外領域の作業指示書のデータをメモリに格納するものであり、前記作業指示支援部は、前記メモリより前記製造工程外領域の作業指示書データを読み出して前記電子ペーパに出力処理するものである、としてもよい。これによれば、所定の製造工程を終了した時点で作業指示書の内容を製造工程外領域の仕様のものに限定することができ、作業指示書ならびに製造工程上のセキュリティ性を良好に維持できる。
【手続補正５】
【補正対象書類名】明細書
【補正対象項目名】００１１
【補正方法】変更
【補正の内容】
【００１１】
また、本発明の作業指示管理システムにおいて、前記指示書フォーム作成支援部は、前記メモリより製品の情報と製造工程の情報とを読み出して前記第３のテーブルに照合し、該当製品の該当製造工程とその前後いずれかの工程とにおける作業指示書を特定し、特定された該当製造工程とその前後いずれかの工程とに関する作業指示書における背景色または文字色に、前記製品の情報に含まれる製品の色情報を設定し作業指示書データを作成してメモリに格納するものであり、前記作業指示支援部は、前記メモリより該当製造工程とその前後いずれかの工程とに関する作業指示書データを読み出して電子ペーパに出力処理するものであり、前記電子ペーパにおいて、前記データ取得部は、前記作業指示支援部より、前記製造工程とその前後いずれかの工程とに関する作業指示書データを受信し、この複数工程分の作業指示書データをメモリに格納するものであり、前記表示処理部は、当該電子ペーパが備える入力インターフェイスから表示内容の遷移指示を受けて、当該遷移指示が示す工程の作業指示書データを前記メモリより読み出し、この作業指示書データをディスプレイ装置に表示するものである、としてもよい。これによれば、１つの工程のみならずその前後いずれかの工程についての作業指示書を、作業員の求めに応じて電子ペーパにて効率的に提示することが可能となる。
【手続補正６】
【補正対象書類名】明細書
【補正対象項目名】００１２
【補正方法】変更
【補正の内容】
【００１２】
また、本発明の作業指示管理システムの前記電子ペーパにおいて、前記表示処理部は、前記遷移指示が示す工程の作業指示書データを前記メモリで検索した際に該当工程の作業指示書データが格納されていなかった場合、該当工程に関する作業指示書データの取得要求を、前記データ取得部に通知するものであり、前記データ取得部は、前記取得要求を前記指示書フォーム作成支援部に送信するものであり、前記指示書フォーム作成支援部は、前記取得要求を受信し、当該取得要求が含む該当製品の該当製造工程の情報を前記第３のテーブルに照合し、該当製品の該当製造工程の作業指示書を特定し、特定された該当製造工程に関する作業指示書における背景色または文字色に、前記製品の情報に含まれる製品の色情報を設定し作業指示書データを作成してメモリに格納するものである、としてもよい。これによれば、電子ペーパのメモリに予め格納していない作業指示書データについて作業員からの求めがあったとしても、この求めに応じて作業指示書データを効率的に取得し電子ペーパにて提示することが可能となる。
【手続補正７】
【補正対象書類名】明細書
【補正対象項目名】００１３
【補正方法】変更
【補正の内容】
【００１３】
また、本発明の作業指示管理方法は、製品製造時の作業指示書を管理するコンピュータシステムが、製品もしくは当該製品と移動を共にする付帯物に備え付けられた無線ＩＣタグの格納情報と、前記製品の情報との対応関係を定めた第１のテーブルと、前記製品の製造工程上に設置されている無線ＩＣタグリーダと、当該無線ＩＣタグリーダが設置されている製造工程との対応関係を定めた第２のテーブルと、製品毎の製造工程と当該製造工程毎の作業指示書との対応関係を定めた第３のテーブルとにアクセス可能に接続され、前記無線ＩＣタグリーダとデータ通信を行って、当該無線ＩＣタグリーダが読み取った無線ＩＣタグの格納情報と前記無線ＩＣタグリーダ自身の情報とを取得しメモリに格納する処理と、前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納する処理と、前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納する処理と、前記メモリより前記作業指示書データを読み出して、出力インターフェイスに出力する処理と、を実行する。これによれば、作業員にとって使用しやすく認識性の良好な作業指示書の作成・管理技術を実現できる。
【手続補正８】
【補正対象書類名】明細書
【補正対象項目名】００１４
【補正方法】変更
【補正の内容】
【００１４】
また、本発明の作業指示管理プログラムは、製品製造時の作業指示書を管理するコンピュータに、製品もしくは当該製品と移動を共にする付帯物に備え付けられた無線ＩＣタグの格納情報と、前記製品の情報との対応関係を定めた第１のテーブルと、前記製品の製造工程上に設置されている無線ＩＣタグリーダと、当該無線ＩＣタグリーダが設置されている製造工程との対応関係を定めた第２のテーブルと、製品毎の製造工程と当該製造工程毎の作業指示書との対応関係を定めた第３のテーブルとをアクセス可能に接続し、前記無線ＩＣタグリーダとデータ通信を行って、当該無線ＩＣタグリーダが読み取った無線ＩＣタグの格納情報と前記無線ＩＣタグリーダ自身の情報とを取得しメモリに格納するステップと、前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納するステップと、前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納するステップと、前記メモリより前記作業指示書データを読み出して、出力インターフェイスに出力するステップと、を実行させる。これによれば、作業員にとって使用しやすく認識性の良好な作業指示書の作成・管理技術を実現できる。
【手続補正９】
【補正対象書類名】明細書
【補正対象項目名】００１５
【補正方法】変更
【補正の内容】
【００１５】
また、本発明の作業指示管理装置は、製品製造時の作業指示書の管理を行う装置であって、製品もしくは当該製品と移動を共にする付帯物に備え付けられた無線ＩＣタグの格納情報と、前記製品の情報との対応関係を定めた第１のテーブルと、前記製品の製造工程上に設置されている無線ＩＣタグリーダと、当該無線ＩＣタグリーダが設置されている製造工程との対応関係を定めた第２のテーブルと、製品毎の製造工程と当該製造工程毎の作業指示書との対応関係を定めた第３のテーブルと、前記無線ＩＣタグリーダとデータ通信を行って、当該無線ＩＣタグリーダが読み取った無線ＩＣタグの格納情報と前記無線ＩＣタグリーダ自身の情報とを取得しメモリに格納する、タグ情報取得部と、前記メモリより前記格納情報と無線ＩＣタグリーダの情報とを読み出して、前記格納情報を前記第１のテーブルに照合して該当製品の情報を取得し、前記無線ＩＣタグリーダの情報を前記第２のテーブルに照合して製造工程を特定し、前記取得した製品の情報と、前記特定した製造工程の情報とをメモリに格納する、トラッキング支援部と、前記メモリより製品の情報と製造工程の情報とを読み出して前記第３のテーブルに照合し、該当製品の該当製造工程における作業指示書を特定し、特定された作業指示書における背景色または文字色に、前記製品の情報に含まれる製品の色情報を設定し作業指示書データを作成してメモリに格納する、指示書フォーム作成支援部と、前記メモリより前記作業指示書データを読み出して、出力インターフェイスに出力処理する作業指示支援部と、を備える。これによれば、作業員にとって使用しやすく認識性の良好な作業指示書の作成・管理技術を実現する、作業指示管理システムを構成できる。